(57)【要約】【課題】あたかも装着者自身の地毛であるかのように視認させることができる、かつら及びかつらの製造方法を提供する。【解決手段】かつら１は、複数の毛髪７が結着された網目状の毛髪結着ベース４を備え、毛髪結着ベース４の毛髪７の結び目８から毛髪７が延出する延出部８ａは、毛髪結着ベース４の裏側４ｂに位置する。また、結び目８から延出した毛髪７が、結び目８から所定メッシュ数離れた、毛髪結着ベース４の目開き部１２を通って、毛髪結着ベース４の裏側４ｂから表側４ａに引き出されており、目開き部１２内で毛髪７が遊動する大きさに目開き部１２の目開きｘ１，ｙ１を選定した。【選択図】図３
2020056142.tif 000002
【特許請求の範囲】
【請求項１】
複数の毛髪が結着された網目状の毛髪結着ベースと、
前記毛髪結着ベースの表側に重ねられた網目状の上側ベースと、を備え、
前記毛髪結着ベースの前記毛髪の結び目から前記毛髪が延出する延出部は、前記毛髪結着ベースの裏側に位置し、
前記結び目から延出した前記毛髪が、前記結び目から所定メッシュ数離れた、前記毛髪結着ベースの目開き部を通って、前記毛髪結着ベースの裏側から表側に引き出されており、
前記目開き部内で前記毛髪が遊動する大きさに前記目開き部の目開きを選定し、
前記上側ベースでは、前記毛髪結着ベースの表側に引き出された前記毛髪が、該毛髪の前記結び目から所定メッシュ数離れた位置にある、前記上側ベースの上側目開き部を通って、前記上側ベースの裏側から表側に引き出されており、
前記上側ベースの前記上側目開き部の目開きが、前記上側目開き部内で前記毛髪が遊動する大きさであって、前記毛髪結着ベースの前記目開き部の目開きよりも大きく選定されている、かつら。
【請求項２】
各前記毛髪は一対の毛片を有し、
前記毛髪は前記一対の毛片の両方が、同じ前記目開き部を通って、前記毛髪結着ベースの裏側から表側に引き出されている、請求項１に記載のかつら。
【請求項３】
下側ベースの表側に、前記毛髪結着ベースが重ねられており、
前記結び目が前記下側ベースにより覆われている、請求項１又は２に記載のかつら。
【請求項４】
前記毛髪は、つむじを中心として放射状に方向づけられている、請求項１〜３のいずれか１項に記載のかつら。
【請求項５】
前記毛髪を引き出す前記上側ベースの前記上側目開き部の、前記結び目からのメッシュ数が、前記つむじに位置する前記毛髪と、前記つむじ以外の領域に位置する前記毛髪とで全て同じに選定されている、請求項４に記載のかつら。
【請求項６】
目開き部内を毛髪が遊動可能な網目状の毛髪結着ベースに、複数の前記毛髪を結着し、前記毛髪結着ベースの前記毛髪の結び目から前記毛髪が延出する延出部を、前記毛髪結着ベースの裏側に位置させる毛髪結着工程と、
前記毛髪結着ベースの裏側に延出した各前記毛髪を、前記結び目から所定メッシュ数離れた、前記毛髪結着ベースの前記目開き部を通して、前記毛髪結着ベースの裏側から表側に引き出す毛髪引出工程と、
前記毛髪結着ベースの表側に引き出された各前記毛髪を、前記結び目から所定メッシュ数離れた、上側ベースの上側目開き部を通して、前記上側ベースの裏側から表側に引き出す上側ベース毛髪引出工程と、
を有し、
前記上側ベースの前記上側目開き部の目開きが、前記上側目開き部内で前記毛髪が遊動する大きさであって、前記毛髪結着ベースの前記目開き部の目開きよりも大きく選定されている、かつらの製造方法。
【請求項７】
下側ベースを用意し、
前記毛髪引出工程の後に、
前記下側ベースの表側に前記毛髪結着ベースの裏側を重ねて固着させる下側ベース固着工程を有する、請求項６に記載のかつらの製造方法。
【発明の詳細な説明】
【技術分野】
【０００１】
本発明は、かつら及びかつらの製造方法に関する。
【背景技術】
【０００２】
かつらは、頭部の形状や頭部を覆う範囲等に応じて形成されたかつらベースに、天然毛髪や人工毛髪等の毛髪を植毛することで作製される。かつらベースは、繊維部材でなる線状部により、網目状に形成されている。毛髪は、かつらベースの線状部に結着されて植毛される。例えば、特許文献１では、毛髪自体に結び目を形成せずに、かつらベースの線状部に結び目を形成して毛髪を保持する構成が開示されている。
【先行技術文献】
【特許文献】
【０００３】
【特許文献１】特許第６０６３１９８号公報
【発明の概要】
【発明が解決しようとする課題】
【０００４】
しかしながら、特許文献１では、かつらベースの線状部により形成された結び目から毛髪が立ち上がってしまうことから、例えば、側頭部や後頭部等では毛髪が不自然に立ち上がってしまう恐れがある。また、特許文献１では、結び目部分で毛髪が固定されていることから、毛髪の生え際部分で毛髪が遊動し難く、自然に動く毛髪を再現できない恐れもある。このため、従来のかつらでは、不自然な毛髪となる可能性があり、この場合、第三者に対して、装着者自身の地毛であるかのように視認させ難いという問題があった。
【０００５】
そこで、本発明は、あたかも装着者自身の地毛であるかのように視認させることができる、かつら及びかつらの製造方法を提供することを目的とする。
【課題を解決するための手段】
【０００６】
本発明のかつらは、複数の毛髪が結着された網目状の毛髪結着ベースと、前記毛髪結着ベースの表側に重ねられた網目状の上側ベースと、を備え、前記毛髪結着ベースの前記毛髪の結び目から前記毛髪が延出する延出部は、前記毛髪結着ベースの裏側に位置し、前記結び目から延出した前記毛髪が、前記結び目から所定メッシュ数離れた、前記毛髪結着ベースの目開き部を通って、前記毛髪結着ベースの裏側から表側に引き出されており、前記目開き部内で前記毛髪が遊動する大きさに前記目開き部の目開きを選定し、前記上側ベースでは、前記毛髪結着ベースの表側に引き出された前記毛髪が、該毛髪の前記結び目から所定メッシュ数離れた位置にある、前記上側ベースの上側目開き部を通って、前記上側ベースの裏側から表側に引き出されており、前記上側ベースの前記上側目開き部の目開きが、前記上側目開き部内で前記毛髪が遊動する大きさであって、前記毛髪結着ベースの前記目開き部の目開きよりも大きく選定されている。
【０００７】
また、本発明のかつらの製造方法は、目開き部内を毛髪が遊動可能な網目状の毛髪結着ベースに、複数の前記毛髪を結着し、前記毛髪結着ベースの前記毛髪の結び目から前記毛髪が延出する延出部を、前記毛髪結着ベースの裏側に位置させる毛髪結着工程と、前記毛髪結着ベースの裏側に延出した各前記毛髪を、前記結び目から所定メッシュ数離れた、前記毛髪結着ベースの前記目開き部を通して、前記毛髪結着ベースの裏側から表側に引き出す毛髪引出工程と、前記毛髪結着ベースの表側に引き出された各前記毛髪を、前記結び目から所定メッシュ数離れた、上側ベースの上側目開き部を通して、前記上側ベースの裏側から表側に引き出す上側ベース毛髪引出工程と、を有し、前記上側ベースの前記上側目開き部の目開きが、前記上側目開き部内で前記毛髪が遊動する大きさであって、前記毛髪結着ベースの前記目開き部の目開きよりも大きく選定されている。
【発明の効果】
【０００８】
本発明では、延出部での毛髪の延出方向がどのような状態であっても毛髪結着ベースの表側で毛髪の立ち上がりを調整できるので、毛髪の自然な立ち上がりを実現できる。また、毛髪結着ベースの表側で毛髪が遊動し易い分だけ毛髪の自然な動きを実現できる。よって、本発明では、あたかも装着者自身の地毛であるかのように視認させることができる。
【図面の簡単な説明】
【０００９】
【図１】本発明のかつらを装着者が装着したときの概略図である。
【図２】本発明のかつらの詳細構成を示す部分分解図である。
【図３】下側ベース、毛髪結着ベース及び上側ベースの構成を説明するための分解斜視図である。
【図４】毛髪結着ベースの構成を示す概略図である。
【図５】毛髪結着ベースの目開き部を通る毛髪の様子を示す概略図である。
【図６】上側ベースの上側目開き部を通る毛髪の様子を示す概略図である。
【図７】つむじを中心として決定される、毛髪の方向づけの一例を説明するための概略図である。
【図８】本発明のかつらの製造工程（１）を説明するための概略図である。
【図９】本発明のかつらの製造工程（２）を説明するための概略図である。
【図１０】本発明のかつらの製造工程（３）を説明するための概略図である。
【図１１】本発明のかつらの製造工程（４）を説明するための概略図である。
【発明を実施するための形態】
【００１０】
以下、図面を参照して本発明の実施形態について詳細に説明する。
（１）本発明のかつらの構成
図１は、本発明のかつら１の構成を示した概略図である。かつら１は、天然毛髪又は人工毛髪等の毛髪７が装着者の頭部を覆うように均一に設けられており、当該毛髪７により所望の髪型が形成されている。本発明のかつら１は、所定位置につむじＰ１が設けられており、当該つむじＰ１を中心にして毛髪７が放射状に方向づけられている。これにより、かつら１は、装着者自身の地毛であるかのように、毛髪７の自然な流れを再現している。
【００１１】
図２は、かつら１の部分分解図である。図２に示すように、かつら１は、下側ベース３と毛髪結着ベース４と上側ベース５とが順に重ねられた構成を有し、毛髪結着ベース４に結び付けられた各毛髪７が所定の経路を経て上側ベース５の表側５ａまで引き出されている。この場合、かつら１は、装着者の頭部に装着された際に、下側ベース３の裏側３ｂが装着者の頭部に接する。
【００１２】
下側ベース３の表側３ａには毛髪結着ベース４が重ねられており、下側ベース３と毛髪結着ベース４とが縫い合わせられることにより、下側ベース３の表側３ａと、毛髪結着ベース４の裏側４ｂとが固着されている。これにより、かつら１は、毛髪結着ベース４の裏側４ｂに設けられた各毛髪７の結び目８を下側ベース３で覆い、かつら１の裏側において、当該結び目８を非露出状態としている。
【００１３】
このようにして、かつら１では、下側ベース３によって毛髪７の結び目８が装着者の頭部に直接接することを防止し、その分、頭部が接することによる結び目８へのダメージを抑制し得、耐久性の向上が図られている。
【００１４】
一方、毛髪結着ベース４の表側４ａには上側ベース５が重ねられており、毛髪結着ベース４と上側ベース５とが縫い合わせられることにより、毛髪結着ベース４の表側４ａと、上側ベース５の裏側５ｂとが固着されている。これにより、かつら１は、毛髪結着ベース４に設けられた各毛髪７の結び目８を上側ベース５で覆い、かつら１の表側において、当該結び目８を非露出状態としている。
【００１５】
このようにして、かつら１では、上側ベース５によって毛髪７の結び目８がかつら１の表側から見え難くなり、その分、第三者に対して、装着者自身の地毛であるかのように視認させることができる。
【００１６】
毛髪結着ベース４には、複数の毛髪７がそれぞれ結び目８により結び付けられている。結び目８は毛髪７により形成されており、結び目８から毛髪７が延出する延出部８ａは、毛髪結着ベース４の裏側４ｂに位置している。毛髪７は、延出部８ａが位置する毛髪結着ベース４の裏側４ｂから表側４ａに引き出されて上側ベース５へと導かれている。
【００１７】
また、毛髪結着ベース４の表側４ａに引き出された各毛髪７は、それぞれ上側ベース５の裏側５ｂから表側５ａに引き出されている。ここで、各毛髪７は、それぞれ毛髪結着ベース４に形成された結び目８を起点として、自由端である一対の毛片７ａ，７ｂを有している。一対の毛片７ａ，７ｂは、毛髪７毎に同じ方向に方向づけられており、上側ベース５の表側５ａで所定方向に向くように、毛髪結着ベース４及び上側ベース５から引き出されている。
【００１８】
続けて、かつら１の各構成について、さらに詳細に説明する。図３は、かつら１の分解斜視図であり、説明の便宜上、複数ある毛髪７のうち１つの毛髪７のみを図示している。本実施形態の場合、下側ベース３は、かつら１の装着者の頭部全体を覆うように形成されている。下側ベース３は、繊維部材からなる線状部３１を格子状に交差させることで、複数の角目状の目開き部（以下、下側目開き部と称する）１１が配置された、網目状の構成を有している。
【００１９】
なお、本実施形態の場合、下側ベースとして、線状部３１により複数の下側目開き部１１が形成された網目状の下側ベース３を適用した場合について述べたが、本発明はこれに限らない。下側ベース３は、毛髪７の結び目８が形成された毛髪結着ベース４の裏側４ｂを覆うことができればよく、例えば、人工皮膚等その他種々の材質でなる下側ベースを用いるようにしてもよい。
【００２０】
毛髪結着ベース４は、下側ベース３と同様に、かつら１の装着者の頭部全体を覆うように形成されている。毛髪結着ベース４は、繊維部材からなる線状部４１を格子状に交差させることで、複数の角目状の目開き部１２が配置された、網目状の構成を有している。毛髪結着ベース４には、線状部４１に毛髪７が結び付けられて毛髪７の結び目８が形成される。結び目８は、当該結び目８から毛髪７が延出する延出部８ａが、毛髪結着ベース４の裏側４ｂに位置するように形成されている。
【００２１】
毛髪結着ベース４の裏側４ｂでは、結び目８から延出した毛髪７が毛髪結着ベース４の表側４ａに向けて折り返されている。そして、毛髪７は、毛髪結着ベース４において結び目８から所定メッシュ数離れた目開き部１２を通って、毛髪結着ベース４の裏側４ｂから表側４ａに引き出されている。
【００２２】
ところで、従来技術では、結び目から毛髪が延出する延出部が、毛髪結着ベースの表側に位置していることから、延出部から延出している毛髪を、そのまま上側ベースから引き出すと、延出部での毛髪の延出方向によって、上側ベースでの毛髪の延出方向や、毛髪を引き出す位置が決まる。よって、毛髪結着ベースに毛髪を結ぶ際の結び方によっては、毛髪が不自然に立ち上がってしまう恐れがある。
【００２３】
これに対して、本実施形態の場合、図４に示すように、毛髪７は、一旦、毛髪結着ベース４の裏側４ｂに延出された後に、毛髪結着ベース４の裏側４ｂから表側４ａに引き出されている。これにより、本実施形態では、延出部８ａでの毛髪７の延出方向がどのような状態であっても、毛髪結着ベース４の表側４ａにおいて所望する位置から毛髪７を立ち上げることができる。
【００２４】
ここで、毛髪７は、結び目８に隣接した１メッシュ目の目開き部１２ａを避けて、結び目８から所定メッシュ数離れた目開き部１２ｂ，１２ｃを通って、毛髪結着ベース４の裏側４ｂから表側４ａに引き出されることが望ましい。これにより、結び目８から、毛髪７を通した目開き部１２ｂ，１２ｃ側（図中、方向ｘ）に向けて、毛髪７を緩やかに傾倒させることができる。このように、本実施形態では、毛髪７の結び方によらず、毛髪７を所望する方向ｘに向けて傾倒させることができるので、つむじＰ１（図１）を中心とした毛髪７の方向づけを容易に行うことができる。
【００２５】
また、結び目８に隣接する目開き部１２ａを避け、結び目８から所定メッシュ数離れた目開き部１２ｂ，１２ｃに毛髪７を通すことで、毛髪７を毛髪結着ベース４の裏側４ｂから表側４ａに引き出す際に、毛髪７を急峻に折り曲げることなく緩やかに折り曲げることができ、その分、毛髪７への負担を緩和することができる。
【００２６】
本実施形態の場合、図４に示すように、毛髪７は、結び目８から２メッシュ目に位置する目開き部１２ｂを通って、毛髪結着ベース４の裏側４ｂから表側４ａに引き出されている。このように、結び目８から２メッシュ目に位置する目開き部１２ｂを通して、毛髪７を毛髪結着ベース４の裏側４ｂから表側４ａに引き出すことで、毛髪７が傾倒し過ぎずに、毛髪７の最適な立ち上がりを再現できる。
【００２７】
ここで、同じ結び目８から延出された毛髪７の一対の毛片７ａ，７ｂは、毛髪結着ベース４の同じ目開き部１２ｂを通って、毛髪結着ベース４の裏側４ｂから表側４ａに引き出されることが望ましい。このように、毛髪７の一対の毛片７ａ，７ｂが、同じ目開き部１２を通って毛髪結着ベース４の裏側４ｂから表側４ａに引き出されることで、延出部８ａでの毛片７ａ，７ｂの延出方向がどのような状態であっても、毛髪結着ベース４の表側４ａにおいて同じ方向に毛片７ａ，７ｂを揃えて延出させることができる。
【００２８】
毛髪７が通される毛髪結着ベース４の各目開き部１２は、それぞれ同じ形状で、かつ、ほぼ同じ大きさに形成されている。本実施形態の場合、図５に示すように、毛髪結着ベース４の目開き部１２の目開きｘ１，ｙ１は、目開き部１２を通る毛髪７の一対の毛片７ａ，７ｂを束ねたときの太さよりも大きく選定されている。例えば、毛髪７の自由端である一対の毛片７ａ，７ｂの各直径（太さ）をＤとした場合、目開きｘ１，ｙ１は、２Ｄ以上、又は、２Ｄよりも大きく選定されることが望ましい。
【００２９】
また、目開きｘ１，ｙ１は、矢印ＥＲ１に示すように各毛片７ａ，７ｂが目開き部１２の中空領域内を自由に遊動する隙間を設けた大きさに選定されることが望ましい。なお、ｘ１は、目開き部１２の一方向の目開きを示し、ｙ１は、目開き部１２の一方向と直交する他方向の目開きを示す。
【００３０】
ここで、かつら１において毛髪７の本数を増やし、毛髪７が密集した、より自然な髪形を再現する際には、毛髪結着ベース４の各目開き部１２に、複数の毛髪７の各毛片７ａ，７ｂをそれぞれ通すことが望ましい。この場合、目開きｘ１，ｙ１は、これら複数の毛髪７の各毛片７ａ，７ｂが目開き部１２の中空領域内を遊動可能な隙間を有するような大きさに選定されることが望ましい。
【００３１】
例えば、かつら１に用いる毛髪７の直径Ｄは、一般的な天然毛髪に合わせて、５０〜１００μｍ程度に選定されている。本実施形態の場合、毛髪結着ベース４の目開き部１２の目開きｘ１，ｙ１は、使用する毛髪７の直径Ｄを基準に決定される。目開きｘ１，ｙ１は、１５０μｍ以上に選定されていることが望ましい。これにより、毛髪７の直径Ｄを上記の範囲内で適宜選定することで、１本の毛髪７の各毛片７ａ，７ｂを１つの目開き部１２から引き出すことができる。
【００３２】
毛髪結着ベース４の目開きｘ１，ｙ１は、より好ましくは、２００μｍ以上に選定されていることが望ましい。これにより、毛髪７の直径Ｄを、仮に最も大きい１００μｍとしても、１本の毛髪７の各毛片７ａ，７ｂを１つの目開き部１２から引き出すことができる。さらに、毛髪７の直径Ｄを上記の範囲で適宜選定することで、複数の毛髪７の各毛片７ａ，７ｂを１つの目開き部１２から引き出すことができる。
【００３３】
また、毛髪結着ベース４の目開きｘ１，ｙ１は、４５０μｍ以下、より好ましくは４００μｍ以下に選定されていることが望ましい。これにより、複数の毛髪７の各毛片７ａ，７ｂを中空領域内で遊動させることができるうえに、４００μｍ以下とすることで、目開き部１２から一度引き出した毛髪７が毛髪結着ベース４の裏側４ｂに戻ることを一段と防止できる。
【００３４】
以上より、毛髪結着ベース４の目開きｘ１，ｙ１は、１５０μｍ以上４５０μｍ以下が好ましく、より好ましくは２００μｍ以上４００μｍ以下であることが望ましい。
【００３５】
さらに、毛髪７の直径をＤとして、毛髪結着ベース４の目開きｘ１，ｙ１をＤにより規定した場合、目開きｘ１，ｙ１は、２Ｄ以上３Ｄ以下であることが望ましい。毛髪結着ベース４の目開きｘ１，ｙ１は、２Ｄ以上に選定されていることで、毛髪７の各毛片７ａ，７ｂを、毛髪結着ベース４の目開き部１２の中空領域内で遊動させることができ、３Ｄ以下に選定されていることで、毛髪７の各毛片７ａ，７ｂを中空領域内で遊動させることができるうえに、目開き部１２から一度引き出した毛髪７が毛髪結着ベース４の裏側４ｂに戻ることを一段と防止できる。
【００３６】
なお、上述した実施形態においては、毛髪結着ベース４の目開き部１２の目開きｘ１，ｙ１を、１５０μｍ以上４５０μｍ以下が好ましく、さらに、２００μｍ以上４００μｍ以下であることがより望ましいとしたが、本発明はこれに限らない。例えば、毛髪結着ベース４の目開き部１２の目開きｘ１，ｙ１を、２Ｄ以上としつつ、２００μｍ以下としてもよい。
【００３７】
なお、本実施形態の場合、角目状の目開き部１２を適用した場合について説明したが、本発明はこれに限らず、六角形状等の多角形状の目開き部を適用してもよい。このように目開き部の形状を変えた場合でも、毛髪７が目開き部の中空領域内で遊動できるように、目開き部の中空領域を選定すればよい。
【００３８】
例えば、六角形状に目開き部１２が形成された毛髪結着ベースでは、四辺形状に目開き部を形成したときよりも、目開き部１２の放射状に配置された６つ辺に対して結び目８を自由に配置させることができる。結び目８を形成する目開き部１２の辺を６辺から選定することで、延出部８ａからの毛髪７を直線的に引き延ばす方向を６方向から選ぶことができ、毛髪７のより自然な流れを再現できる。また、目開き部１２の６つの辺の中から結び目８の位置を選定できる分、延出部８ａから毛髪７を無理に屈曲させずに、所望の方向に向けて直線的に引き延ばすことができるので、毛髪７への負担を低減させ、耐久性を向上させることができる。
【００３９】
次に、毛髪結着ベース４の表側４ａに重ねられる上側ベース５について説明する。図３に示すように、上側ベース５は、毛髪結着ベース４と同様に、繊維部材からなる線状部５１を格子状に交差させることで、複数の角目状の目開き部（以下、上側目開き部と称する）１３が配置された、網目状の構成を有している。
【００４０】
毛髪結着ベース４の表側４ａから延出した毛髪７は、上側ベース５において、結び目８から所定メッシュ数離れた上側目開き部１３を通って、上側ベース５の裏側５ｂから表側５ａに引き出されている。
【００４１】
この際、毛髪７は、上側ベース５において裏側５ｂに位置する毛髪７の結び目８と隣接した１メッシュ目の上側目開き部１３ａを避けて、結び目８から所定メッシュ数離れた上側目開き部１３ｃを通って、上側ベース５の裏側５ｂから表側５ａに引き出されることが望ましい。
【００４２】
また、毛髪７が通る上側目開き部１３は、毛髪結着ベース４で当該毛髪７が通る目開き部１２ｂと重なる位置にある上側目開き部１３ｂ、又は、当該目開き部１２ｂよりも方向ｘ側にずれた位置である上側目開き部１３ｃであることが望ましい。なお、図３では、目開き部１２ｂよりも方向ｘ側にずれた位置である上側目開き部１３ｃに毛髪７を通している例を示す。
【００４３】
このように、毛髪結着ベース４で毛髪７が通る目開き部１２ｂと重なる位置にある上側目開き部１３ｂ、又は、当該目開き部１２ｂよりも方向ｘ側にずれた位置にある上側目開き部１３ｃに毛髪７を通すことで、毛髪７を方向ｘ側に向けて緩やかに傾倒させることができる。かくして、上側ベース５でも、毛髪結着ベース４と同様に、毛髪７を所望する方向ｘに向けて傾倒させることができるので、つむじＰ１（図１）を中心とした毛髪７の方向づけを容易に行うことができる。
【００４４】
このように毛髪７が通される上側ベース５の各上側目開き部１３は、それぞれ同じ形状で、かつ、ほぼ同じ大きさに形成されている。本実施形態の場合、図６に示すように、上側ベース５の上側目開き部１３の目開きｘ２，ｙ２は、上側目開き部１３を通る毛髪７の一対の毛片７ａ，７ｂを束ねたときの太さよりも大きく選定されている。例えば、毛髪７の自由端である一対の毛片７ａ，７ｂの各直径（太さ）をＤとした場合、目開きｘ２，ｙ２は、２Ｄよりも大きく、かつ、毛髪結着ベース４の目開き部１２の目開きｘ１，ｙ１よりも大きく選定されることが望ましい。
【００４５】
また、目開きｘ２，ｙ２は、矢印ＥＲ２に示すように各毛片７ａ，７ｂが上側目開き部１３の中空領域内を自由に遊動する隙間を設けた大きさに選定されることが望ましい。なお、ｘ２は、上側目開き部１３の一方向の目開きを示し、ｙ２は、上側目開き部１３の一方向と直交する他方向の目開きを示す。
【００４６】
ここで、より自然な髪形を再現するために、毛髪結着ベース４に結び付けられる毛髪７の本数を多くした場合には、上側ベース５の各上側目開き部１３に、複数の毛髪７の各毛片７ａ，７ｂをそれぞれ通すことが望ましい。この場合、目開きｘ２，ｙ２は、これら複数の毛髪７の各毛片７ａ，７ｂが上側目開き部１３の中空領域内を遊動可能な隙間を有するような大きさに選定されることが望ましい。
【００４７】
本実施形態の場合、上側ベース５の網目は毛髪結着ベース４の網目よりも粗く形成されている。すなわち、上側ベース５の上側目開き部１３は、目開きｘ２，ｙ２が毛髪結着ベース４の目開き部１２の目開きｘ１，ｙ１より大きく選定されており、上側目開き部１３で毛髪７が遊動可能な中空領域が、毛髪結着ベース４の目開き部１２で毛髪７が遊動可能な中空領域よりも大きく選定されている。
【００４８】
本実施形態の場合、毛髪結着ベース４の目開きｘ１，ｙ１が１５０μｍ以上に選定されている際には、上側ベース５の上側目開き部１３の上側目開きｘ２，ｙ２は、毛髪結着ベース４の目開きｘ１，ｙ１よりも大きい、１５０μｍ超に選定されていることが望ましい。また、本実施形態の場合、毛髪結着ベース４の目開きｘ１，ｙ１が２００μｍ以上に選定されている際には、上側ベース５の上側目開き部１３の上側目開きｘ２，ｙ２は、毛髪結着ベース４の目開きｘ１，ｙ１よりも大きい、２００μｍ超に選定されていることが望ましい。これにより、毛髪結着ベース４の１つの目開き部１２を通った１本の毛髪７の各毛片７ａ，７ｂを、同じように１つの上側目開き部１３から引き出すことができ、さらに、毛髪結着ベース４の目開き部１２よりも毛髪７の可動範囲を大きくできる。
【００４９】
また、上側ベース５の目開きｘ２，ｙ２は、５００μｍ以下に選定されていることが望ましい。これにより、複数の毛髪７の各毛片７ａ，７ｂを中空領域内で自由に遊動させることができるうえに、外観において上側ベース５の網目から毛髪結着ベース４の網目が見え難くなり、あたかも装着者自身の地毛であるかのように視認させることができる。また、上側ベース５の目開きｘ２，ｙ２は、より好ましくは、毛髪結着ベース４の目開きｘ１，ｙ１より大きく選定しつつ、４５０μｍ以下に選定されていることが望ましい。これにより、外観上において上側ベース５の網目から毛髪結着ベース４の網目が、一段と確実に見え難くなり、あたかも装着者自身の地毛であるかのような、かつら１を実現できる。
【００５０】
また、毛髪７の直径をＤとして、上側ベース５の上側目開き部１３の上側目開きｘ２，ｙ２をＤにより規定した場合、上側目開きｘ２，ｙ２は、２Ｄ超４Ｄ以下であって、かつ、毛髪結着ベース４の目開きｘ１，ｙ１よりも大きく選定されていることが望ましい。さらに、より好ましくは、上側ベース５の目開きｘ２，ｙ２は、毛髪結着ベース４の目開きｘ１，ｙ１より大きく選定しつつ、３Ｄ以下に選定されていることが望ましい。上側ベース５は、上側目開き部１３の上側目開きｘ２，ｙ２を２Ｄ超と大きくしても、毛髪７の結び目８が毛髪結着ベース４の裏側４ｂに位置しているため、毛髪７の結び目８が上側ベース５の網目から見え難くなり、あたかも装着者自身の地毛であるかのように視認させることができる。
【００５１】
なお、本実施形態の場合、角目状の上側目開き部１３を適用した場合について説明したが、本発明はこれに限らず、六角形状等の多角形状の目開き部を適用してもよい。このように上側目開き部の形状を変えた場合でも、毛髪７が上側目開き部の中空領域内で遊動できるように、上側目開き部の中空領域を選定すればよい。
【００５２】
次に、つむじＰ１の周辺について説明する。図７は、毛髪結着ベース４において毛髪７が引き出される方向ｘを示したものである。図７に示すように、毛髪結着ベース４でつむじＰ１の位置が決定されると、当該つむじＰ１を中心にして放射状に広がる方向が、毛髪７を引き出す方向ｘとして規定される。上側ベース５で毛髪７が引き出される方向も、毛髪結着ベース４で結び目８から毛髪７が引き出される方向ｘと一致しており、つむじＰ１を中心にして放射状に広がる方向となる。
【００５３】
本実施形態の場合、毛髪結着ベース４から毛髪７を引き出す際、毛髪７の結び目８と、毛髪結着ベース４で当該毛髪７を引き出す箇所との距離（すなわち、結び目８からのメッシュ数）が、つむじＰ１に位置する毛髪７と、つむじＰ１以外の領域に位置する毛髪７とで区別されておらず、全て同じ距離（メッシュ数）に選定されている。また、上側ベース５から毛髪７を引き出す際、毛髪７の結び目８と、上側ベース５で当該毛髪７を引き出す箇所との距離（すなわち、結び目８からのメッシュ数）が、つむじＰ１に位置する毛髪７と、つむじＰ１以外の領域に位置する毛髪７とで区別されておらず、全て同じ距離（メッシュ数）に選定されている。
【００５４】
すなわち、つむじＰ１に位置する毛髪７や、分け目に位置する毛髪７であっても、毛髪結着ベース４及び上側ベース５から毛髪７を引き出す方向が単に異なるだけで、特に、毛髪７の傾き角度を意図的に調整することは行われておらず、毛髪７の結び目８と、毛髪結着ベース４及び上側ベース５で当該毛髪を引き出す箇所と、の距離は、かつら１全体で一定となっている。
【００５５】
つむじＰ１では、つむじＰ１に位置する毛髪７を、毛髪結着ベース４及び上側ベース５から引き出す方向や、毛髪７の数を増やすことで、つむじＰ１の周辺の毛髪７を立ち上げ、つむじＰ１周辺の毛髪にボリュームを与え、自然なつむじＰ１を実現している。
【００５６】
（２）かつらの製造方法
次に、本発明のかつら１を製造する製造方法について説明する。始めに、装着者の頭部の形状に合わせて作製された、下側ベース３、毛髪結着ベース４及び上側ベース５を用意する（準備工程）。次いで、図８に示すように、毛髪結着ベース４の表側４ａとなる面を下側にし、裏側４ｂとなる面を上側にセットし、上側にセットした毛髪結着ベース４の裏側４ｂから線状部４１（図３）に対して、複数の毛髪７を結び付けてゆく（毛髪結着工程）。
【００５７】
これにより、上側に向けた毛髪結着ベース４の裏側４ｂに、毛髪７の結び目８が形成されるとともに、毛髪７が延出している結び目８の延出部８ａを毛髪結着ベース４の裏側４ｂに位置させる。なお、毛髪結着ベース４に毛髪７を結び付ける際は、例えば、パンシングル、パンダブル、シンブル又はダブルシングル等の公知の植毛方法で結び付ければよい。
【００５８】
このようにして複数の毛髪７を毛髪結着ベース４に結び付けた後、図８の矢印Ａ１に示すように、毛髪結着ベース４を上下裏返し、図９に示すように、毛髪結着ベース４の表側４ａとなる面を上側にし、裏側４ｂとなる面を下側にセットする。なお、図９では、後の工程にて、毛髪結着ベース４の表側４ａに固着される上側ベース５を、毛髪結着ベース４の上方に図示している。
【００５９】
次いで、毛髪結着ベース４の裏側４ｂに延出させた毛髪７を、図１０に示すように、図示しない治具を用いて毛髪結着ベース４の表側４ａに引き出す。この際、毛髪結着ベース４の裏側４ｂに延出した毛髪７は、結び目８から所定メッシュ数離れた、毛髪結着ベース４の目開き部１２を通して、毛髪結着ベース４の裏側４ｂから表側４ａに引き出される（毛髪引出工程）。また、この際、毛髪７の一対の毛片７ａ，７ｂは、同じ目開き部１２を通して毛髪結着ベース４の裏側４ｂから表側４ａに引き出されている。
【００６０】
毛髪７を毛髪結着ベース４の表側４ａへ引き出す目開き部１２の位置は、つむじＰ１（図７）を基準に決められる。例えば、毛髪７の結び目８よりも、つむじＰ１から遠ざかる位置にある目開き部１２を選定し、選定した目開き部１２に当該毛髪７を通して、毛髪７を毛髪結着ベース４の裏側４ｂから表側４ａに引き出す。なお、つむじＰ１の周辺にある毛髪７を毛髪結着ベース４の裏側４ｂから表側４ａに引き出す際は、特に、毛髪７の傾き角度について意図的な調整は行われておらず、毛髪７を引き出す毛髪結着ベース４の目開き部１２の、結び目８からのメッシュ数は、つむじＰ１の周辺にある毛髪７と、つむじＰ１以外の領域に位置する毛髪７とで全て同じメッシュ数に選定されている。
【００６１】
次いで、上側ベース５を用意し、毛髪結着ベース４の表側４ａに引き出した毛髪７を、図示しない治具を用いて上側ベース５の表側５ａに引き出す。この際、毛髪結着ベース４の表側４ａに延出した毛髪７は、結び目８から所定メッシュ数離れた、上側ベース５の上側目開き部１３を通して、上側ベース５の裏側５ｂから表側５ａに引き出される（上側ベース毛髪引出工程）。また、この際、毛髪７の一対の毛片７ａ，７ｂは、同じ上側目開き部１３を通して上側ベース５の裏側５ｂから表側５ａに引き出されている。
【００６２】
毛髪７を上側ベース５の表側５ａへ引き出す上側目開き部１３の位置も、つむじＰ１（図７）を基準に決められる。例えば、毛髪７を通した目開き部１２ｂと重なる位置にある上側目開き部１３ｂか、又は、当該目開き部１２ｂよりもつむじＰ１から遠ざかる位置にある上側目開き部１３ｃかのいずれかを選定し、選定した上側目開き部１３ｂ（１３ｃ）に当該毛髪７を通して、毛髪７を上側ベース５の裏側５ｂから表側５ａに引き出す。なお、つむじＰ１の周辺にある毛髪７を上側ベース５の裏側５ｂから表側５ａに引き出す際は、特に、毛髪７の傾き角度について意図的な調整は行われておらず、毛髪７を引き出す上側ベース５の上側目開き部１の、結び目８からのメッシュ数は、つむじＰ１の周辺にある毛髪７と、つむじＰ１以外の領域に位置する毛髪７とで全て同じメッシュ数に選定されている。
【００６３】
このようにして、図１１に示すように、毛髪結着ベース４の表側４ａに引き出した各毛髪７を、上側ベース５の裏側５ｂから表側５ａに引き出した後、毛髪結着ベース４と上側ベース５とを縫い合わせ、毛髪結着ベース４の表側４ａに上側ベース５の裏側５ｂを固着させる（上側ベース固着工程）。
【００６４】
次いで、下側ベース３を用意し、下側ベース３の表側３ａに毛髪結着ベース４の裏側４ｂを重ねて下側ベース３と毛髪結着ベース４と縫い合わせ、下側ベース３の表側３ａに毛髪結着ベース４の裏側４ｂを固着させる（下側ベース固着工程）。このようにして、本発明のかつら１を製造することができる。
【００６５】
（３）作用及び効果
以上の構成において、かつら１は、複数の毛髪７が結着された網目状の毛髪結着ベース４を備えており、毛髪結着ベース４の毛髪７の結び目８から毛髪７が延出する延出部８ａを、毛髪結着ベース４の裏側４ｂに位置させるようにした。また、かつら１では、結び目８から延出した毛髪７が、結び目８から所定メッシュ数離れた、毛髪結着ベース４の目開き部１２を通って、毛髪結着ベース４の裏側４ｂから表側４ａに引き出されるようにした。
【００６６】
これにより、かつら１では、延出部８ａでの毛髪７の延出方向がどのような状態であっても、毛髪結着ベース４の表側４ａにおいて所望する位置から毛髪７を立ち上げ、毛髪７の立ち上がり具合を調整することができる。
【００６７】
また、かつら１では、毛髪結着ベース４の目開き部１２の目開きｘ１，ｙ１を、目開き部１２内を通させた毛髪７が遊動する大きさに選定し、毛髪結着ベース４の表側４ａで毛髪７が遊動し易くした。これにより、かつら１では、毛髪７の自然な動きを実現できる。
【００６８】
以上より、かつら１では、延出部８ａでの毛髪７の延出方向がどのような状態であっても毛髪結着ベース４の表側４ａで毛髪７の立ち上がりを調整できるので、毛髪７の自然な立ち上がりを実現でき、また、毛髪結着ベース４の表側４ａで毛髪７が遊動し易い分だけ毛髪７の自然な動きを実現できる。よって、かつら１では、あたかも装着者自身の地毛であるかのように視認させることができる。
【００６９】
さらに、かつら１では、毛髪結着ベース４の表側４ａから延出した毛髪７が、結び目８から所定メッシュ数離れた、上側ベース５の上側目開き部１３を通って、上側ベース５の裏側５ｂから表側５ａに引き出されるようにした。これにより、かつら１では、上側ベース５の表側５ａにおいても、所望する位置から毛髪７を立ち上げることができ、毛髪７の立ち上がり具合をさらに微細に調整することができる。
【００７０】
また、かつら１では、上側ベース５の上側目開き部１３の目開きｘ２，ｙ２についても、上側目開き部１３内を通させた毛髪７が遊動する大きさに選定し、上側ベース５の表側５ａでも毛髪７が遊動し易くした。これにより、かつら１では、毛髪７の自然な動きを一段と実現できる。
【００７１】
（４）他の実施形態
なお、上述した実施形態においては、かつらとして、装着者の頭部全体を覆うような、かつら１について説明したが、本発明はこれに限らず、例えば、装着者の頭頂部等、頭部の一部のみを覆うような、かつらであってもよい。
【００７２】
また、上述した実施形態において、図３及び図４では、つむじＰ１（図１）から放射状に方向づけられる方向を、つむじＰ１から遠ざかる方向ｘとし、この方向ｘに沿って、結び目８から遠ざかる位置にある目開き部１２ｂを、毛髪７を引き出す目開き部１２としたが、本発明はこれに限らない。かつら１が再現する髪型に応じて、つむじＰ１の位置にかかわらず、毛髪７毎にそれぞれ結び目８から遠ざかる方向を決め、当該方向にある目開き部１２を、毛髪７が引き出される目開き部１２としてもよい。
【００７３】
また、上側ベース５でも、同様に、かつら１が再現する髪型に応じて、つむじＰ１の位置にかかわらず、毛髪７毎にそれぞれ結び目８から遠ざかる方向を決め、当該方向にある上側目開き部１３を、毛髪７が引き出される上側目開き部１３としてもよい。
【００７４】
さらに、本実施形態においては、結び目８に隣接した１メッシュ目の目開き部１２ａを避けて、結び目８から２メッシュ目の目開き部１２ｂに毛髪７を通して、毛髪結着ベース４の裏側４ｂから表側４ａに毛髪７を引き抜く場合について説明したが、本発明はこれに限らない。例えば、結び目８から３メッシュ、４メッシュ離れた目開き部１２に毛髪７を通して、毛髪結着ベース４の裏側４ｂから表側４ａに毛髪７を引き抜くようにしてもよい。なお、上側ベース５についても同様に、例えば、結び目８から３メッシュ、４メッシュ離れた上側目開き部１３に毛髪７を通して、上側ベース５の裏側５ｂから表側５ａに毛髪７を引き抜くようにしてもよい。
【００７５】
さらに、上述した実施形態においては、毛髪７の一対の毛片７ａ，７ｂの両方が、同じ目開き部１２を通って、毛髪結着ベース４の裏側４ｂから表側４ａに引き出されている場合について述べたが、本発明はこれに限らない。例えば、毛片７ａ，７ｂが、それぞれ異なる目開き部１２を通って、毛髪結着ベース４の裏側４ｂから表側４ａに引き出されるようにしてもよい。また、上側ベース５でも同様に、毛片７ａ，７ｂが、それぞれ異なる上側目開き部１３を通って、上側ベース５の裏側５ｂから表側５ａに引き出されるようにしてもよい。
【００７６】
さらに、上述した実施形態において、下側ベース３及び上側ベース５の両方を設けた、かつら１について説明したが、本発明はこれに限らず、下側ベース３が設けられておらず、毛髪結着ベース４及び上側ベース５のみが設けられたかつらであってもよい。
【００７７】
さらに、上述した実施形態においては、上側ベース５を毛髪結着ベース４に固着させた後に、毛髪結着ベース４に下側ベース３を固着させた製造方法について説明したが、本発明はこれに限らず、下側ベース３に毛髪結着ベース４を固着させた後に、毛髪結着ベース４に上側ベース５を固着させる製造方法であってもよい。
【符号の説明】
【００７８】
１  かつら
３  下側ベース
４  毛髪結着ベース
５  上側ベース
７  毛髪
８  結び目
８ａ  延出部
１２  目開き部
【図１】
2020056142.tif 000003
【図２】
2020056142.tif 000004
【図３】
2020056142.tif 000005
【図４】
2020056142.tif 000006
【図５】
2020056142.tif 000007
【図６】
2020056142.tif 000008
【図７】
2020056142.tif 000009
【図８】
2020056142.tif 000010
【図９】
2020056142.tif 000011
【図１０】
2020056142.tif 000012
【図１１】
2020056142.tif 000013
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
複数の毛髪が結着された、目開き部を有する網目状の毛髪結着ベースと、
前記毛髪結着ベースの表側に重ねられた、上側目開き部を有する網目状の上側ベースと、を備え、
前記毛髪結着ベースの前記毛髪の結び目から前記毛髪が延出する延出部は、前記毛髪結着ベースの裏側に位置し、
前記結び目から延出した前記毛髪が、前記結び目から２メッシュ目以上の所定メッシュ数離れた、前記目開き部を通って、前記毛髪結着ベースの裏側から表側に引き出されており、
前記目開き部内で前記毛髪が遊動する大きさに前記目開き部の目開きを選定し、
前記上側ベースでは、前記毛髪結着ベースの表側に引き出された前記毛髪が、前記毛髪が通る前記目開き部と重なる位置にある前記上側目開き部、又は前記毛髪が通る前記目開き部よりも前記結び目から離れた位置にある前記上側目開き部を通って、前記上側ベースの裏側から表側に引き出されており、
前記上側ベースの前記上側目開き部の目開きが、前記上側目開き部内で前記毛髪が遊動する大きさであって、前記毛髪結着ベースの前記目開き部の目開きよりも大きく選定されている、かつら。
【請求項２】
前記上側ベースでは、前記毛髪結着ベースの表側に引き出された前記毛髪が、前記毛髪が通る前記目開き部よりも前記結び目から離れた位置にある前記上側目開き部を通って、前記上側ベースの裏側から表側に引き出されている、請求項１に記載のかつら。
【請求項３】
前記目開き部の目開きは、１５０μｍ以上４５０μｍ以下である、請求項１又は２に記載のかつら。
【請求項４】
前記毛髪の直径をＤとした場合、前記目開き部の目開きは、２Ｄ以上３Ｄ以下である、請求項１〜３のいずれか１項に記載のかつら。
【請求項５】
各前記毛髪は一対の毛片を有し、
前記毛髪は前記一対の毛片の両方が、同じ前記目開き部を通って、前記毛髪結着ベースの裏側から表側に引き出されている、請求項１〜４のいずれか１項に記載のかつら。
【請求項６】
下側ベースの表側に、前記毛髪結着ベースが重ねられており、
前記結び目が前記下側ベースにより覆われている、請求項１〜５のいずれか１項に記載のかつら。
【請求項７】
前記毛髪は、つむじを中心として放射状に方向づけられている、請求項１〜６のいずれか１項に記載のかつら。
【請求項８】
前記毛髪を引き出す前記上側ベースの前記上側目開き部の、前記結び目からのメッシュ数が、前記つむじに位置する前記毛髪と、前記つむじ以外の領域に位置する前記毛髪とで全て同じに選定されている、請求項７に記載のかつら。
【請求項９】
目開き部内を毛髪が遊動可能な網目状の毛髪結着ベースに、複数の前記毛髪を結着し、前記毛髪結着ベースの前記毛髪の結び目から前記毛髪が延出する延出部を、前記毛髪結着ベースの裏側に位置させる毛髪結着工程と、
前記毛髪結着ベースの裏側に延出した各前記毛髪を、前記結び目から２メッシュ目以上の所定メッシュ数離れた、前記毛髪結着ベースの前記目開き部を通して、前記毛髪結着ベースの裏側から表側に引き出す毛髪引出工程と、
前記毛髪結着ベースの表側に引き出された各前記毛髪を、前記毛髪が通る前記目開き部と重なる位置にある上側ベースの上側目開き部、又は前記毛髪が通る前記目開き部よりも前記結び目から離れた位置にある上側ベースの上側目開き部を通して、前記上側ベースの裏側から表側に引き出す上側ベース毛髪引出工程と、
を有し、
前記上側ベースの前記上側目開き部の目開きが、前記上側目開き部内で前記毛髪が遊動する大きさであって、前記毛髪結着ベースの前記目開き部の目開きよりも大きく選定されている、かつらの製造方法。
【請求項１０】
下側ベースを用意し、
前記毛髪引出工程の後に、
前記下側ベースの表側に前記毛髪結着ベースの裏側を重ねて固着させる下側ベース固着工程を有する、請求項９に記載のかつらの製造方法。
【手続補正２】
【補正対象書類名】明細書
【補正対象項目名】０００６
【補正方法】変更
【補正の内容】
【０００６】
本発明のかつらは、複数の毛髪が結着された、目開き部を有する網目状の毛髪結着ベースと、前記毛髪結着ベースの表側に重ねられた、上側目開き部を有する網目状の上側ベースと、を備え、前記毛髪結着ベースの前記毛髪の結び目から前記毛髪が延出する延出部は、前記毛髪結着ベースの裏側に位置し、前記結び目から延出した前記毛髪が、前記結び目から２メッシュ目以上の所定メッシュ数離れた、前記目開き部を通って、前記毛髪結着ベースの裏側から表側に引き出されており、前記目開き部内で前記毛髪が遊動する大きさに前記目開き部の目開きを選定し、前記上側ベースでは、前記毛髪結着ベースの表側に引き出された前記毛髪が、前記毛髪が通る前記目開き部と重なる位置にある前記上側目開き部、又は前記毛髪が通る前記目開き部よりも前記結び目から離れた位置にある前記上側目開き部を通って、前記上側ベースの裏側から表側に引き出されており、前記上側ベースの前記上側目開き部の目開きが、前記上側目開き部内で前記毛髪が遊動する大きさであって、前記毛髪結着ベースの前記目開き部の目開きよりも大きく選定されている。
【手続補正３】
【補正対象書類名】明細書
【補正対象項目名】０００７
【補正方法】変更
【補正の内容】
【０００７】
また、本発明のかつらの製造方法は、目開き部内を毛髪が遊動可能な網目状の毛髪結着ベースに、複数の前記毛髪を結着し、前記毛髪結着ベースの前記毛髪の結び目から前記毛髪が延出する延出部を、前記毛髪結着ベースの裏側に位置させる毛髪結着工程と、前記毛髪結着ベースの裏側に延出した各前記毛髪を、前記結び目から２メッシュ目以上の所定メッシュ数離れた、前記毛髪結着ベースの前記目開き部を通して、前記毛髪結着ベースの裏側から表側に引き出す毛髪引出工程と、前記毛髪結着ベースの表側に引き出された各前記毛髪を、前記毛髪が通る前記目開き部と重なる位置にある上側ベースの上側目開き部、又は前記毛髪が通る前記目開き部よりも前記結び目から離れた位置にある上側ベースの上側目開き部を通して、前記上側ベースの裏側から表側に引き出す上側ベース毛髪引出工程と、を有し、前記上側ベースの前記上側目開き部の目開きが、前記上側目開き部内で前記毛髪が遊動する大きさであって、前記毛髪結着ベースの前記目開き部の目開きよりも大きく選定されている。